(57)【要約】【課題】受光部を遠隔操作部の赤外線信号を受光し易い位置に位置させる作業が容易に行える照明器具を提供することにある。【解決手段】照明器具は、引掛シーリング４に取り付けられる取付具１と、受光部２３を有し取付具１に取り付けられる本体部２と、本体部２に吊り下げられる照明部３とを備え、取付具１は、引掛シーリング４の一対の係止部４１ａ，４１ａそれぞれに対応する一対の被係止部１０ａ，１０ｃ及び一対の被係止部１０ｂ，１０ｄを、一対の被係止部１０ａ，１０ｃ間を結ぶ直線Ｍ１と一対の被係止部１０ｂ，１０ｄ間を結ぶ直線Ｍ２とが取付具１の中心Ｏで互いに直交するようにして備え、取付具１には中心Ｏに対して点対称となるように一対の取付ボルト１２，１２が設けられ、受光部２３は、一対の取付部１２，１２間を結ぶ直線Ｌ上に位置するようにして本体部２において取付具１及び照明部３のいずれとも対向しない外側面に設けられる。【選択図】図１
2008091155.tif 000002
【特許請求の範囲】
【請求項１】
天井面に設置された引掛シーリングに取り付けられた取付具と、遠隔操作部から出力された赤外線信号を受光する受光部を有し前記取付具の下面側に取り付けられた本体部と、前記本体部に昇降自在に吊り下げられた照明部とを備え、前記取付具は、前記引掛シーリングの外側面から前記引掛シーリングの中心に対し点対称となるように突出された一対の係止部それぞれに対応する一対の被係止部を、前記一対の被係止部間を結ぶ直線が前記一対の被係止部間の中点で互いに直交するようにして２組備え、前記取付具の前記下面側には前記本体部の前記受光部の位置を表示する表示手段が設けられていることを特徴とする照明器具。
【請求項２】
天井面に設置された引掛シーリングに取り付けられた取付具と、遠隔操作部から出力された赤外線信号を受光する受光部を有し前記取付具の下面側に取り付けられた本体部と、前記本体部に昇降自在に吊り下げられた照明部とを備え、前記取付具は、前記引掛シーリングの外側面から前記引掛シーリングの中心に対し点対称となるように突出された一対の係止部それぞれに対応する一対の被係止部を、前記一対の被係止部間を結ぶ直線が前記一対の被係止部間の中点で互いに直交するようにして２組備え、前記取付具の前記下面側には前記取付具の中心を挟んで対向するように設けられ前記本体部が取り付けられる一対の取付部が設けられ、前記受光部は、前記一対の取付部間を結ぶ直線上又は前記取付具の前記中心を通り前記直線に直交する直交線上に位置するようにして前記本体部において前記照明部及び前記取付具のいずれとも対向しない外側面に設けられていることを特徴とする照明器具。
【請求項３】
前記受光部には、前記照明部の昇降操作用の操作部と、遠隔操作を受け付ける遠隔操作部のチャンネルの設定を行うチャンネル設定部とが設けられていることを特徴とする請求項１又は２記載の照明器具。
【発明の詳細な説明】
【技術分野】
【０００１】
本発明は、天井面に設置される照明器具に関する。
【背景技術】
【０００２】
従来から、ランプの交換等の作業を容易にするために、リモコン等の遠隔操作部の操作により遠方から照明部の高さを調整可能な電動昇降機能付き照明器具が提供されている（例えば、特許文献１）。
【０００３】
特許文献１の照明器具は、天井面に設置された引掛シーリングに取り付けられた取付具と、前記取付具の下面側に取り付けられた本体部と、遠隔操作部から出力された赤外線信号を受光する受光部を有して前記本体部に昇降自在に吊り下げられた照明部とを備えている。ここで、前記取付具は、前記引掛シーリングの外側面に前記引掛シーリングの中心を挟んで対向するように突設された一対の係止部それぞれに係止される一対の被係止部を備えている。
【０００４】
したがって、特許文献１の照明器具では、取付具は、前記取付具の一対の被係止部を引掛シーリングの一対の係止部に係止させた第１ポジションと、引掛シーリングの一対の係止部に係止させる一対の被係止部を入れ替えた（すなわち取付具をその中心を回転中心として１８０度回転させた状態の）第２ポジションとの２つの取付位置で引掛シーリングに取り付けることができるようになっている。
【特許文献１】特開２００２−１０９９４８号公報
【発明の開示】
【発明が解決しようとする課題】
【０００５】
以上述べたような照明器具では、遠隔操作部が配置される方向とは反対側の方向に受光部が向いた状態で照明器具が設置されていると、遠隔操作部の赤外線信号が受光部に到達し難くなるため（リモコン到達性能が悪くなるため）、照明器具は、遠隔操作部の配置される方向に受光部が向いた状態に設置する必要がある。
【０００６】
しかしながら、特許文献１の照明器具では、取付具の引掛シーリングへの取付位置が、取付具がその中心を回転中心として１８０度回転した第１ポジションと第２ポジションとの２つであるから、受光部を意図した方向に向けることができない場合が多々あり、このような場合、引掛シーリング自体の取付位置を調整しなければならないという問題があった。
【０００７】
また、特許文献１の照明器具では、取付具と受光部との位置関係が分かり難いため、取付具に本体部（及び本体部に吊り下げられた照明部）を取り付けた際の受光部の向きを想定して取付具を引掛シーリングに取り付けた際でも、実際に取付具に本体部（及び本体部に吊り下げられた照明部）を取り付けた際には、想定していた位置に受光部が位置しないことも多々あった。
【０００８】
つまるところ、従来の照明器具では、受光部を遠隔操作部の赤外線信号を受光し易い位置に位置させる作業が非常に煩雑で手間がかかるという問題があった。
【０００９】
本発明は上述の点に鑑みて為されたもので、その目的は、受光部を遠隔操作部の赤外線信号を受光し易い位置に位置させる作業が容易に行える照明器具を提供することにある。
【課題を解決するための手段】
【００１０】
上記の課題を解決するために、請求項１の発明では、天井面に設置された引掛シーリングに取り付けられた取付具と、遠隔操作部から出力された赤外線信号を受光する受光部を有し前記取付具の下面側に取り付けられた本体部と、前記本体部に昇降自在に吊り下げられた照明部とを備え、前記取付具は、前記引掛シーリングの外側面から前記引掛シーリングの中心に対し点対称となるように突出された一対の係止部それぞれに対応する一対の被係止部を、前記一対の被係止部間を結ぶ直線が前記一対の被係止部間の中点で互いに直交するようにして２組備え、前記取付具の前記下面側には前記本体部の前記受光部の位置を表示する表示手段が設けられていることを特徴とする。
【００１１】
請求項２の発明では、天井面に設置された引掛シーリングに取り付けられた取付具と、遠隔操作部から出力された赤外線信号を受光する受光部を有し前記取付具の下面側に取り付けられた本体部と、前記本体部に昇降自在に吊り下げられた照明部とを備え、前記取付具は、前記引掛シーリングの外側面から前記引掛シーリングの中心に対し点対称となるように突出された一対の係止部それぞれに対応する一対の被係止部を、前記一対の被係止部間を結ぶ直線が前記一対の被係止部間の中点で互いに直交するようにして２組備え、前記取付具の前記下面側には前記取付具の中心を挟んで対向するように設けられ前記本体部が取り付けられる一対の取付部が設けられ、前記受光部は、前記一対の取付部間を結ぶ直線上又は前記取付具の前記中心を通り前記直線に直交する直交線上に位置するようにして前記本体部において前記照明部及び前記取付具のいずれとも対向しない外側面に設けられていることを特徴とする。
【００１２】
請求項３の発明では、請求項１又は２の発明において、前記受光部には、前記照明部の昇降操作用の操作部と、遠隔操作を受け付ける遠隔操作部のチャンネルの設定を行うチャンネル設定部とが設けられていることを特徴とする。
【発明の効果】
【００１３】
請求項１の発明は、天井面に設置された引掛シーリングに取り付けられる取付具は、前記引掛シーリングの外側面に前記引掛シーリングの中心を挟んで対向するように突設された一対の係止部それぞれに係止される一対の被係止部を、前記一対の被係止部間を結ぶ直線が前記一対の被係止部間の中点で互いに直交するようにして２組備えているから、取付具の引掛シーリングへの取付位置を取付具の中心を回転中心として９０度ずつ回転させた４つの取付位置から選択することができ、しかも前記取付具には前記受光部の位置を表示する表示手段が設けられているから、前記本体部を前記取付具に取り付けなくても前記表示手段によって前記受光部の位置を知ることができ、その結果、前記受光部を前記遠隔操作部の前記赤外線信号を受光し易い位置に位置させる作業が容易に行えるという効果を奏する。
【００１４】
請求項２の発明は、天井面に設置された引掛シーリングに取り付けられる取付具は、前記引掛シーリングの外側面に前記引掛シーリングの中心を挟んで対向するように突設された一対の係止部それぞれに係止される一対の被係止部を、前記一対の被係止部間を結ぶ直線が前記一対の被係止部間の中点で互いに直交するようにして２組備えているから、取付具の引掛シーリングへの取付位置を取付具の中心を回転中心として９０度ずつ回転させた４つの取付位置から選択することができ、しかも前記取付具に設けた一対の取付部を結ぶ直線上又は前記取付具の中心を通り前記直線に直交する直交線上に位置するように前記受光部が前記本体部に設けられているから、前記本体部を前記取付具に取り付けなくても前記一対の取付部を見ることで前記受光部の位置を知ることができ、その結果、前記受光部を前記遠隔操作部の前記赤外線信号を受光し易い位置に位置させる作業が容易に行えるという効果を奏する。その上、前記受光部は、前記本体部において前記取付具及び前記照明部のいずれとも対向しない外側面に設けられているから、前記受光部を前記本体部の下面に設けた場合のように前記照明部によって前記受光部が隠蔽されてしまうことがなくなって、遠隔操作部の赤外線信号が前記受光部に到達し易くなるという効果を奏する。
【００１５】
請求項３の発明は、照明部の昇降操作用の操作部と、遠隔操作を受け付ける遠隔操作部のチャンネルの設定を行うチャンネル設定部とを、遠隔操作部の赤外線信号を受光し易いように照明器具において壁面に対向しない広いスペース側に配置される受光部に設けているから、操作部又はチャンネル設定部の操作が行い易くなるという効果を奏する。
【発明を実施するための最良の形態】
【００１６】
以下に、図１〜図４を参照して本発明の照明器具の一実施形態について説明する。
【００１７】
本実施形態の照明器具は、図１に示すように、天井面（図示せず）に設置された引掛シーリング４に取り付けられる取付具１と、遠隔操作部（図示せず）から出力された赤外線信号を受光する受光部２３を有し取付具１の下面側に取り付けられる本体部２と、本体部２に昇降自在に吊り下げられる照明部３とを備え、取付具１は、引掛シーリング４の外側面から引掛シーリング４の中心に対し点対称となるように突出された一対の係止部４１ａ，４１ａそれぞれに対応する一対の被係止部１０ａ，１０ｃ及び一対の被係止部１０ｂ，１０ｄを、一対の被係止部１０ａ，１０ｃ間を結ぶ直線Ｍ１と一対の被係止部１０ｂ，１０ｄ間を結ぶ直線Ｍ２とが一対の被係止部１０ａ，１０ｃ間及び一対の被係止部１０ｂ，１０ｄ間の各中点である取付具１の中心Ｏで互いに直交するようにして備え、取付具１の前記下面側には取付具１の中心Ｏに対して点対称となるように設けられ本体部２が取り付けられる一対の取付ボルト１２，１２が設けられ、受光部２３は、一対の取付部１２，１２間を結ぶ直線Ｌ上に位置するようにして本体部２において取付具１及び照明部３のいずれとも対向しない外側面に設けられている。
【００１８】
ここで、前記遠隔操作部は、例えば無線信号として赤外線信号を送信するリモコンであって、照明器具の点灯制御を行うための照明操作用のスイッチ（図示せず）や、照明器具の照明部３の昇降操作を行うための昇降操作用のスイッチ（図示せず）等が設けられている。また、前記遠隔操作部には、混信を防止するためにチャンネル（アドレス）が設定されており、前記遠隔操作部から出力される赤外線信号には前記遠隔操作部のチャンネルが付される。
【００１９】
引掛シーリング（引掛シーリングボディ）４は、図１に示すような円形状のシーリング本体４０を備え、シーリング本体４０の下面中央部には、シーリング本体４０の中心（引掛シーリング４の中心）に対して対称な位置に一対の円弧状の栓刃挿入孔４０ａ，４０ａが設けられている。栓刃挿入孔４０ａは、引掛シーリング４と機械的及び電気的な接続を行うための図示しない引掛シーリングキャップの引掛栓刃をシーリング本体４０内に挿入するためのものであって、シーリング本体４０内における栓刃挿入孔４０ａの近傍には、前記引掛栓刃が引っ掛けられる刃受部（図示せず）が設けられている。
【００２０】
一方、引掛シーリング４のシーリング本体４０の上面側には、商用電源等の交流電源（図示せず）の電源線（図示せず）が接続される端子部（図示せず）が設けられており、前記刃受部は前記端子部に電気的に接続されている。したがって、引掛シーリング４に前記引掛シーリングキャップを接続することによって前記引掛シーリングキャップを備える機器に、前記交流電源より電力供給を行えるようになっている。
【００２１】
また、引掛シーリング４はシーリング本体４０の上面側に引掛シーリング４に取り付けられる機器の荷重を受けるための円盤状の取付金具４１を備え、取付金具４１は、取付金具４１の中心に対し点対称となるように取付金具４１の外周縁に一体に突設された一対の係止部４１ａ，４１ａを有し、一対の係止部４１ａ，４１ａには、摘みねじからなる係止ねじ５を螺着するねじ孔４１ｂがそれぞれ設けられている。そして、上述した取付金具４１をシーリング本体４０に取り付けた際には、引掛シーリング４の外周面から一対の係止部４１ａ，４１ａが引掛シーリング４の中心に対し点対称となるようにして突出されることになる。尚、上述したような引掛シーリング４は従来周知のものであるから詳細な説明は省略する。また、引掛シーリング４の構成は上述したものに限られるものではなく、引掛シーリングの中心を挟んで対向するように引掛シーリングの外周面に突設された一対の係止部を有するようなものであればよい。
【００２２】
取付具１は、図１に示すように金属材料等を用いて円盤状に形成されており、その中央部には、引掛シーリング４を収容する収容凹所１ａが設けられ、収容凹所１ａの底面には引掛シーリング４の下端部が挿通される円形状の挿通孔１ｂが厚み方向に貫設されている。また取付具１は、収容凹所１ａの底面における挿通孔１ｂの周縁部に、引掛シーリング４の一対の係止部４１ａ，４１ａそれぞれに対応する一対の被係止部１０ａ，１０ｂと、一対の被係止部１０ｃ，１０ｄとを備えている。ここで、各被係止部１０ａ〜１０ｄは、一対の被係止部１０ａ，１０ｂ間を結ぶ直線Ｍ１と一対の被係止部１０ｃ，１０ｄ間を結ぶ直線Ｍ２が、一対の被係止部１０ａ，１０ｃ間及び一対の被係止部１０ｂ，１０ｄ間の各中点である取付具１の中心Ｏで互いに直交するようにして取付具１に設けられている（取付具は、一対の被係止部の組を、前記一対の被係止部間を結ぶ直線が前記一対の被係止部間の中点で互いに直交するようにして２組備えている）。すなわち、被係止部１０ａ〜１０ｄは、収容凹所１ａの底面における挿通孔１ｂの開口周縁部に、取付具１の中心を回転中心として９０度間隔で設けられている。尚、直線Ｍ１と直線Ｍ２とが直交するとは厳密な意味で直交していることを意味しているのではなく、おおよそ直交しているとみなせる範囲のものであってもよい。
【００２３】
また、各被係止部１０ａ〜１０ｄは同形状のものであって、係止ねじ５の頭部５ａを挿通可能な大きさの円形状の広孔部１１ａと、係止ねじ５のねじ部５ｂのみを挿通可能な大きさの円弧状の狭孔部１１ｂとを連続一体に形成した形のだるま孔１１を有している。したがって、各被係止部１０ａ〜１０ｄは、係止部４１ａに螺着された係止ねじ５の頭部５ａをだるま孔１１の広孔部１１ａを通して被係止部１０ａ〜１０ｄの下方に位置させた状態で係止ねじ５のねじ部５ｂを狭孔部１１ｂ側に移動させることによって、だるま孔１１の周縁部の下面側が係止ねじ５の頭部５ａの上面側に係止されるようになっている。尚、図示例では各被係止部１０ａ〜１０ｄが連続一体に形成されているが、別々に形成されているものであっても勿論よい。
【００２４】
一方、取付具１には、取付具１の中心Ｏに対して点対称となる位置に、取付ボルト１２用のボルト挿通孔１ｃが設けられている。また、取付部１においてボルト挿通孔１ｃの開口周縁部は取付ボルト１２の頭部（図示せず）が取付部１の上面から上方へ突出しないように下方へ凹んだ形状となっている。尚、本実施形態では、取付ボルト１２が取付具１に本体部２を取り付けるための取付部として用いられている。尚取付ボルト１２としてはストラックスねじ等を用いることができる。
【００２５】
本体部２は、図１に示すように円形状の筐体２０を備えている。筐体２０の上面側の中央部には、引掛シーリング４及び引掛シーリング４に取り付けられた取付具１を収容する収容凹部（図示せず）が設けられている。この収容凹部内には引掛シーリングキャップ（図示せず）が露設されており、本体部２は引掛シーリング４を介して前記交流電源より電力供給を受けることができるようになっている。また、筐体２０には、前記引掛シーリングキャップと照明部３の後述する電源線３１とを電気的に接続する接続部（図示せず）が収納されており、前記接続部によって照明部３に電力供給が行えるようになっている。
【００２６】
また、筐体２０の下面側において取付具１の各ボルト挿通孔１ｃにそれぞれ対応する位置にはナット用凹部２０ａが形成されている。ナット用凹部２０ａの底面には、取付ボルト用の貫挿孔（図示せず）が筐体２０を厚み方向に貫通して設けられており、前記貫挿孔に貫挿させた取付ボルト１２の先端部に摘み付きナット２１を螺着することで取付具１の下面側に本体部２を取り付けることができるようになっている。尚、ナット用凹部２０ａの深さは、取付ボルト１２の先端部に螺着したナット２１が筐体２０の下面側から下方に突出しないような深さとしている。
【００２７】
さらに、筐体２０の下面には、後述するモータ付きリール２２の３本のワイヤ２２ａの自由端側（リール２２から自在に引き出せる側）がそれぞれ挿通されるワイヤ挿通孔２０ｂと、照明部３の電源線３１を筐体２０内に導入するための電源線導入孔２０ｃとが設けられている。ここで、ワイヤ挿通孔２０ｂは、筐体２０の下面において筐体２０と中心位置が等しい正三角形の各頂点位置に位置するように筐体２０の下面に設けられている。
【００２８】
加えて、筐体２０において取付具１及び照明部３のいずれとも対向しない外側面には、図２に示すように矩形状の受光部用凹部２０ｄが設けられており、受光部用凹部２０ｄの底面には受光部２３が設けられている。ここで受光部２３は、図２に示すように、受光部用凹部２０ｄの前記底面に露設され遠隔操作部（図示せず）から出力される赤外線信号を受光する受光素子２３ａを備えている。
【００２９】
また、受光部２３には、上昇用スイッチ２３ｃ及び下降用スイッチ２３ｄからなる照明部３の昇降操作用の操作部２３ｂと、遠隔操作を受け付ける遠隔操作部のチャンネルを設定する切り替えスイッチからなるチャンネル設定部２３ｅとが設けられている。操作部２３ｂとチャンネル設定部２３ｅは、いずれも受光部用凹部２０ｄの前記底面に露設されている。
【００３０】
さらに、受光部２３は、受光部用凹部２０ｄの開口を閉塞するようにして筐体２０に着脱自在に取り付けられるカバー２３ｆを備えている。ここで、カバー２３ｆは、受光部用凹部２０ｄ内を隠蔽して本体部２の見栄えを向上するためのものであり、透光性を有する（少なくとも赤外線に対して透光性を有する）樹脂材料等を用いて形成されている。カバー２３ｆは、操作部２３ｂ又はチャンネル設定部２３ｅの操作を行うときを除いては、筐体２０に被着される。
【００３１】
また、筐体２０には、３本のワイヤ２２ａ及びワイヤ２２ａの巻上げ及び巻き戻しを行うためのモータ（図示せず）を有する前述のモータ付きリール２２が収納されており、リール２２の各ワイヤ２２ａの自由端は、筐体２０の下面に設けられたワイヤ挿通孔２０ｂから筐体２０の下方へ導出されている。
【００３２】
また、筐体２０には、マイコン等からなる演算処理部（図示せず）と、引掛シーリング４を経由して供給される電源を元にリール２２や演算処理部等の駆動電源を生成する電源回路部（図示せず）とを備えている。ここで、演算処理部は、照明部３の後述する点灯装置を制御する照明制御手段（図示せず）と、リール２２の前記モータを制御してリール２２のワイヤ２２ａの巻き上げ、巻き戻しを行うことで照明部３の昇降制御を行う昇降制御手段（図示せず）とを備えている。
【００３３】
前記演算処理部には、受光部２３の受光素子２３ａで受信した前記遠隔操作部の赤外線信号が有する操作信号と操作部２３ｂの操作信号とが入力されるようになっており、前記演算処理部では入力された操作信号の内容に応じて、前記照明制御手段又は前記昇降制御手段による制御動作が行われる。また前記演算処理部は、チャンネル設定部２３ｅで設定されたチャンネルに合致するチャンネルを有する遠隔操作部が出力する赤外線信号を受信した際に、当該赤外線信号から操作信号を読み出す（つまり、遠隔操作部３の赤外線信号を受け付ける）ように構成されている。尚、前記照明制御手段により照明部３の点灯装置の制御が行われる際には、電源線３１を経由して前記照明制御手段から前記点灯装置に照明制御信号が伝送される。つまり、本実施形態では電源線３１を前記照明制御信号の伝送路として利用している。また前記照明制御信号の伝送路となる信号線を別途設けるようにしてもよい。
【００３４】
前記演算処理部によれば、前記遠隔操作部の照明操作用のスイッチを操作することによって、照明部３の前記蛍光ランプの点灯／消灯／調光制御や、常夜灯である前記ＬＥＤの点灯／消灯／調光制御等が可能となり、さらに前記遠隔操作部の昇降操作用のスイッチを操作することによって照明部３の昇降操作が可能となる。加えて、前記演算処理部によれば、本体部２の操作部２３ｂの上昇用スイッチ２３ｃ又は下降用スイッチ２３ｄを操作することによっても照明部３の昇降操作を行うことができる。
【００３５】
照明部３は、図３に示すように、例えば環型蛍光灯（図示例では二重環型蛍光灯）等の蛍光ランプ（図示せず）や、常夜灯として用いられるＬＥＤ（図示せず）等が取り付けられる円形状のシャーシ（図示せず）と、前記シャーシの下面側に被着されて前記シャーシに取り付けられた前記蛍光ランプを覆う円形のドーム状のセード３０とを備えている。尚、セード３０は、例えば透光性を有する白色の樹脂材料を用いて形成されている。
【００３６】
前記シャーシには、引掛シーリング４を経由して供給される前記交流電源を元にして前記蛍光ランプ用の動作電源を生成する安定器や、前記蛍光ランプ用の調光回路、前記交流電源を元にして前記ＬＥＤ用の動作電源を生成する交流直流変換回路等を有する前述の点灯装置（図示せず）と、前記蛍光ランプを装着するソケット（図示せず）と、前記蛍光ランプを保持するランプホルダ（図示せず）と、前記ＬＥＤとが設けられている。
【００３７】
また、前記シャーシには、前記点灯装置に電力供給を行うための前述の電源線３１を備えるコードリール（図示せず）が設けられており、電源線３１の固定端側（前記コードリールに固定されている側）が前記点灯装置に電気的に接続され、電源線３１の自由端側（前記コードリールから自在に引き出せる側）が前記シャーシの上方に導出されている。
【００３８】
さらに、前記シャーシには本体部２に設けられたリール２２の３本のワイヤ２２ａの自由端側それぞれが挿入されるワイヤ挿入孔（図示せず）が設けられ、前記シャーシの下面側における前記各ワイヤ挿入孔の近傍には、ワイヤ２２ａの自由端側を結束する結束部（図示せず）が設けられている。尚、前記ワイヤ挿入孔は、前記シャーシにおいて本体部２のワイヤ挿通孔２０ｂと対向する位置に設けられている。
【００３９】
以上述べた照明部３は、本体部２のリール２２の各ワイヤ２２ａの自由端側を、それぞれ前記シャーシの前記各ワイヤ挿入孔に挿入して前記結束部に結束することによって本体部２に昇降自在に吊り下げられる。また、照明部３は、電源線３１の自由端側を本体部２の電源線導入孔２０ｃを通じて筐体２０内に挿入して前記接続部に接続することによって本体部２と電気的に接続される。以上により、照明部３が本体部２に昇降自在に吊り下げられるとともに電気的に接続されることになる。
【００４０】
以下に、本実施形態の照明器具の天井面への設置方法について説明する。天井面に設置されている引掛シーリング４に取付具１を取り付ける作業は、引掛シーリング４の一対の係止部４１ａ，４１ａの各ねじ孔４１ｂそれぞれに下方より螺着された係止ねじ５，５を取付具１の一対の被係止部１０ａ，１０ｃ又は一対の被係止部１０ｂ，１０ｄに係止させることで行う。
【００４１】
このとき、取付具１の引掛シーリング４への取付位置は、一対の係止部４１ａ，４１ａに一対の被係止部１０ａ，１０ｃを係止させる第１ポジションと、第１ポジションから取付具１を中心Ｏを回転中心として１８０度回転させて一対の係止部４１ａ，４１ａに一対の被係止部１０ａ，１０ｃを第１ポジションとは入れ替えて係止させる第２ポジションと、一対の係止部４１ａ，４１ａに一対の被係止部１０ｂ，１０ｄを係止させる第３ポジションと、第３ポジションから取付具１を中心Ｏを回転中心として１８０度回転させて一対の係止部４１ａ，４１ａに一対の被係止部１０ｂ，１０ｄを第３ポジションとは入れ替えて係止させる第４ポジションとの４つの取付位置から選択することができる。つまり、取付具１の引掛シーリング４への取付位置を、取付具１の中心Ｏを回転中心として９０度ずつ回転させた４つの取付位置から選択でき、所望の回転角で取付具１を引掛シーリング４に取り付けることができるようになっている。
【００４２】
また、受光部２３は、取付具１の一対の取付ボルト１２，１２間を結ぶ直線Ｌ上に位置するようにして本体部２に設けられているので、取付具１の一対の取付ボルト１２，１２の並列方向を確認することで、照明器具を設置した際の受光部２３の向きを知ることができるようになっている。そのため、取付具１を引掛シーリング４に取り付ける際には、受光部２３の向きが所望の方向（若しくは所望の方向に最も近い向き）になるようにして取付具１の引掛シーリング４への取付作業を行う。
【００４３】
このようにして引掛シーリング４に取付具１を取り付けた後には、引掛シーリング４に本体部２の前記引掛シーリングキャップを接続するとともに、取付具１の一対の取付ボルト１２，１２を本体部２の前記各貫挿孔に貫挿させた後に一対の取付ボルト１２，１２の先端部それぞれにナット２１，２１を螺着することによって本体部２を取付具１に取り付け、これにより照明器具が天井面に設置されることになる。尚、取付ボルト１２，１２は取付具１の中心Ｏに対して点対称となるように設けられているから、本体部２の取付具１への取付位置は２通り存在することになるが、当然ながら受光部２３が所望の方向に向いた状態となるように本体部２を取付具１に取り付ける。また本体部２に照明部３を取り付ける作業は、本体部２を取付具１に取り付ける前であってもよいし、本体部２を取付具１に取り付けた後に行ってもよい。
【００４４】
以上述べた本実施形態の照明器具によれば、天井面に設置された引掛シーリング４に取り付けられる取付具１は、引掛シーリング４の外側面から引掛シーリング４の中心に対して点対称となるように突出された一対の係止部４１ａ，４１ａそれぞれに係止される一対の被係止部１０ａ，１０ｃ及び一対の被係止部１０ｂ，１０ｄを、一対の被係止部１０ａ，１０ｂ間を結ぶ直線Ｍ１と一対の被係止部１０ｂ，１０ｄ間を結ぶ直線Ｍ２とが一対の被係止部１０ａ，１０ｃ間及び一対の被係止部１０ｂ，１０ｄ間の各中点である取付具１の中心Ｏで互いに直交するようにして備えているから、取付具１の引掛シーリング４への取付位置を取付具１の中心Ｏを回転中心として９０度ずつ回転させた４つの取付位置から選択することができ、しかも取付具１に設けた一対の取付ボルト１２，１２間を結ぶ直線Ｌに位置するように受光部２３が本体部２に設けられているから、本体部２を取付具１に取り付けなくても一対の取付ボルト１２，１２を見ることで受光部２３の位置を知ることができ、その結果、受光部２３を遠隔操作部の赤外線信号を受光し易い位置に位置させる作業を容易に行えるという効果を奏する。
【００４５】
その上、受光部２３は、本体部２において取付具１及び照明部３のいずれとも対向しない外側面に設けられているから、受光部２３を本体部２の下面に設けた場合のように照明部３によって受光部２３が隠蔽されてしまうことがなくなって、遠隔操作部の赤外線信号が受光部に到達し易くなるという効果を奏する。
【００４６】
加えて、照明部３の昇降操作用の操作部２３ｂと、遠隔操作を受け付ける遠隔操作部のチャンネルの設定を行うチャンネル設定部２３ｅとを、遠隔操作部の赤外線信号を受光し易いように照明器具において壁面に対向しない広いスペース側に配置される受光部２３に設けているから、操作部２３ｂ又はチャンネル設定部２３ｅを操作するための脚立等を設置する際に壁面等が邪魔になったり、操作部２３ｂ又はチャンネル設定部２３ｅが壁面に近接したりすることがなくなり、操作部２３ｂ又はチャンネル設定部２３ｅの操作が行い易くなるという効果を奏する。
【００４７】
また、受光素子２３ａと操作部２３ｂとチャンネル設定部２３ｅとを備える受光部２３が本体部２において照明部３と対向する下面に設けられている場合は、照明部３が本体部２に近接した位置に位置しているときには、本体部２と照明部３との間に手を差し込んで操作部２３ｂ又はチャンネル設定部２３ｅの操作を行わなければならず、しかも受光部２３が見え難いために操作部２３ｂやチャンネル設定部２３ｅの操作が行い難く、また照明部３の蛍光ランプ等を交換する際に照明部３が受光部２３に当たって受光部２３に外力が生じて受光部２３を破損してしまうおそれがあった。
【００４８】
これに対して本実施形態の照明器具では、受光部２３を本体部２において照明部３及び取付具１のいずれとも対向しない外側面に設けているから、受光部２３を本体部２において照明部３と対向する下面に設ける場合とは異なり、照明部３が本体部２に近接した位置に位置している場合でも、操作部２３ｂやチャンネル設定部２３ｅの操作が行い易くなり、また受光部２３に照明部３が当たったりすることがないから受光部２３に外力が生じず、受光部２３を破損するおそれがなくなるという効果を奏する。
【００４９】
ところで、図１〜図３に示す構成の照明器具では、受光部２３は一対の取付ボルト１２，１２間を結ぶ直線Ｌ上に位置するようにして本体部２において取付具１及び照明部３とそれぞれ対向しない外側面に設けられているが、受光部２３は図４に示すように取付具１の中心Ｏを通り一対の取付ボルト１２，１２間を結ぶ直線Ｌに直交する直交線Ｎ上に位置するようにして本体部２の前記外側面に設けてもよい。図４に示す構成の照明器具においても、図１〜図３に示す構成の照明器具と同様の効果が得られる。
【００５０】
以上述べた本実施形態の照明器具では、取付具１の一対の取付ボルト１２，１２間の直線Ｌ上又は取付具１の中心Ｏを通り直線Ｌに直交する直交線Ｎ上に位置するように受光部２３を本体部２に設けることで、一対の取付ボルト１２，１２を受光部２３の位置を示す表示手段として利用するようにしているが、前記表示手段は、例えば文字、又は矢印等の記号、又はこれらの組み合わせ等であってもよく、例えば、取付具１に本体部２を取り付けた際に受光部２３が位置しうる場所を指し示す矢印（図示せず）を、取付具１の下面側に設けるようにしてもよい。このようにすれば、本体部２を取付具１に取り付けなくても受光部２３の位置を表示する表示手段である前記矢印によって受光部２３の位置を知ることができ、その結果、受光部２３を遠隔操作部の赤外線信号を受光し易い位置に位置させた状態で照明器具を容易に設置できるという効果を奏する。
【００５１】
尚、取付具１と本体部２と照明部３との形状及び構成はあくまで一例であり、本発明の主旨を逸脱しない程度に変形してもよい。
【図面の簡単な説明】
【００５２】
【図１】本発明の一実施形態の照明器具の分解斜視図である。
【図２】同上の照明器具の受光部の説明図である。
【図３】同上の照明器具の斜視図である。
【図４】同上の照明器具の他の例の一部を省略した斜視図である。
【符号の説明】
【００５３】
１    取付具
２    本体部
３    照明部
４    引掛シーリング
１０ａ〜１０ｄ  被係止部
１２    取付ボルト（取付部）
２３    受光部
２３ｂ  操作部
２３ｅ  チャンネル設定部
４１ａ  係止部
Ｌ    一対の取付ボルト間を結ぶ直線（一対の取付部間を結ぶ直線）
Ｍ１，Ｍ２  一対の被係止部間を結ぶ直線
Ｎ    直交線
Ｏ    取付具の中心
【図１】
2008091155.tif 000003
【図２】
2008091155.tif 000004
【図３】
2008091155.tif 000005
【図４】
2008091155.tif 000006